(57)【特許請求の範囲】
【請求項１】
外部から洗浄水を供給する給水路を開閉する開閉部と、給水停止状態で前記開閉部の二次側水路を大気に開放する真空破壊弁部と、温水タンクなどへの水路となる前記開閉部の前記二次側水路に設けた水圧調整部とを備えた温水洗浄装置において、上流側から前記開閉部と前記真空破壊弁部と前記水圧調整部とを順次配置し、前記開閉部と前記真空破壊弁部と前記水圧調整部とを一体に構成し、前記開閉部が開放状態で、かつ前記真空破壊弁部の一次側給水路と二次側給水路が連通状態になった状態において、前記開閉部の一次側水路が負圧になった場合には、前記真空破壊弁部を介して前記一次側水路が大気に開放されることを特徴とした温水洗浄装置の給水装置。
【請求項２】
前記真空破壊弁部を、前記温水タンクの最上位面より上方に位置させるとともに、前記開閉部を閉止状態とした際、前記真空破壊弁部の排出路を介して前記温水タンク内部が外気開放となる請求項１記載の温水洗浄装置の給水装置。
【請求項３】
前記真空破壊弁部の二次側に逆流防止弁を設けるとともに、前記開閉部を閉止状態とした際、前記真空破壊弁部の前記排出路を介して前記温水タンク内部が外気開放となる請求項１記載の温水洗浄装置の給水装置。
【請求項４】
前記水圧調整部の吐水ポートを前記真空破壊弁部の前記排出路に開口し、漏出水を１箇所に集中させた請求項１記載の温水洗浄装置の給水装置。
【請求項５】
前記真空破壊弁部や前記水圧調整部からの漏出水を裏板や温水タンクの表面に設けた前記排出路に排水する構成とした請求項１記載の温水洗浄装置の給水装置。
【請求項６】
前記開閉部に電磁弁を使用し、電装部を前記開閉部の水路を構成する電磁弁ボディの下部に位置させた請求項１記載の温水洗浄装置の給水装置。
【発明の詳細な説明】
【０００１】
【発明の属する技術分野】
本発明は、温水洗浄装置に給水する給水部の構成に関する。
【０００２】
【従来の技術】
従来、温水洗浄装置の給水装置は、外部から給水を供給する給水路を開閉する開閉部と、開閉部の一次側水路が負圧になった際、開閉部の二次側水路を大気に開放する真空破壊部と、開閉部の二次側水路を一定水圧以下に保持する水圧調整部や温水タンクなどで水路が構成されている。
【０００３】
【発明が解決しようとする課題】
しかしながら上記従来の温水洗浄装置の給水装置では、開閉部は温水洗浄装置の給水部の最上流部に、真空破壊部は温水タンクの出口に、水圧調整部は温水タンクの下部に配置されるなど、開閉部、真空破壊部、水圧調整部が各々独立した部品で構成されるとともに、温水洗浄装置全体に分散配置されているため、温水洗浄装置が大型化するとともに、真空破壊部、水圧調整部からの排水路が複雑になるという課題があった。
【０００４】
【課題を解決するための手段】
本発明は上記課題を解決するため、外部から洗浄水を供給する給水路を開閉する開閉部と、開閉部が開放状態において開閉部の一次側水路が負圧になった際、開閉部の二次側水路を大気に開放する真空破壊弁部と、開閉部の二次側水路に設けた水圧調整部とを一体に構成したものである。
【０００５】
上記発明によれば、給水部を小型化できるとともに集中排水ができるため、排水路構成が簡素化され、温水洗浄装置を小型化することができる。
【０００６】
【発明の実施の形態】
本発明の請求項１に係る温水洗浄装置の給水装置は、外部から洗浄水を供給する給水路を開閉する開閉部と、給水停止状態で前記開閉部の二次側水路を大気に開放する真空破壊弁部と、温水タンクなどへの水路となる前記開閉部の前記二次側水路に設けた水圧調整部とを備え、上流側から前記開閉部と前記真空破壊弁部と前記水圧調整部とを順次配置し、前記開閉部と前記真空破壊弁部と前記水圧調整部とを一体に構成し、前記開閉部が開放状態で、かつ前記真空破壊弁部の一次側給水路と二次側給水路が連通状態になった状態において、前記開閉部の一次側水路が負圧になった場合には、前記真空破壊弁部を介して前記一次側水路が大気に開放されることを特徴としたものであり、給水部を小型化できるとともに、開閉部の一次側水路が負圧になった場合にノズルユニットからの汚水の吸い上げを阻止することができるという作用を有する。
【０００７】
本発明の請求項２に係る温水洗浄装置の給水装置は、前記真空破壊弁部を、前記温水タンクの最上位面より上方に位置させるとともに、前記開閉部を閉止状態とした際、前記真空破壊弁部の排出路を介して前記温水タンク内部が外気開放となる構成としたものであり、温水タンクなど、開閉部の二次側水路の水抜きを容易に行うことができる。
【０００８】
本発明の請求項３に係る温水洗浄装置の給水装置は、前記真空破壊弁部の二次側に逆流防止弁を設けるとともに、前記開閉部を閉止状態とした際、前記真空破壊弁部を介して前記温水タンク内部が外気開放となる構成としたものであり、真空破壊弁部の位置に関係なく温水タンクなど、開閉部の二次側水路の水抜きを容易に行うことができる。
【０００９】
本発明の請求項４に係る温水洗浄装置の給水装置は、前記水圧調整部の吐水ポートを前記真空破壊弁部の前記排出路に開口し、漏出水を１箇所に集中させたものであり、排水路の構成を簡素化することができる。
【００１０】
本発明の請求項５に係る温水洗浄装置の給水装置は、前記真空破壊弁部と水圧調整部からの漏出水を裏板と温水タンクの表面に設けた前記排出路に排水する構成としたもので、排水路の構成を簡素化することができる。
【００１１】
本発明の請求項６に係る温水洗浄装置の給水装置は、前記開閉部に電磁弁を使用し、電装部を前記開閉部の水路を構成するボディの下部に位置させたものであり、水路構成を簡素化することができるとともに、給水装置の小型化が図れる。
【００１２】
【実施例】
以下、本発明の実施例について図面を用いて説明する。
【００１３】
（実施例１）
図１は本発明の給水装置を用いた温水洗浄装置の使用状態を示す外観図であり、図２、図３、図４は温水洗浄装置の水路構成を示す平面図、正面図、側面国である。また、図５は給水の正面図、図６は給水装置の平面図、図７は図６のＡ−Ａ断面図、図８は図５のＢ−Ｂ断面図である。
【００１４】
図に示すように本発明の温水洗浄装置１は、本体２と便座３および弁蓋４とで構成し、便器５に載置して使用されるとともに本体２内部に、図２、図３に示す外部から給水管６を介して給水される給水装置７、温水を沸かす温水タンク８、洗浄温水を吐出するノズルユニット９などを裏板１０に載置して構成する。
【００１５】
一方、給水装置７は、図４〜図７に示すように上流側から順次配置した開閉部１１、真空破壊弁部１２および一定水圧以下に保持する水圧調整部１３から構成する。
【００１６】
そして、開閉部１１は給水管６の接続部１４から閉止部１５を介して真空破壊弁部１２に至る給水路ａ１６を形成する電磁弁ボディ１７と、給水路ａ１６の開閉を行うダイヤフラム弁１８を駆動するプランジャー１９とコイル２０から成る電装部２１を内蔵した電磁弁２２で構成する。そして、電装部２１は開閉部１１給水路ａ１６を構成する電磁弁ボディ１７の下部に位置させている。
【００１７】
真空破壊弁部１２は給水路ｂ２３の一部を電磁弁ボディー１７に形成するとともに外気に開放した排出路２４、給水路ｂ２３と排出路２４との切替をする真空破壊弁２５および排出路２４からの吐出水を外部に排出する排出ポート２６（図１０参照）とで構成する。水圧調整部１３は水圧調整部ケース２７と吐水ポート２８とで外郭を構成し、内部にスプリング２９によって吐水ポート２８を閉塞する水圧調整弁３０を有し、水圧調整部１３を電磁弁ボディ１７に結合している。さらに、真空破戒弁部１２は、図３に示すように温水タンク８の最上位部より上方に位置させている。
【００１８】
一方、図３、図４に示すように温水タンク８の表面に排水路ａ３１を設けるとともに、これに繋がり、温水洗浄装置１の外部に開口する排水路ｂ３２を裏板１０に設けている。そして、真空破壊弁部１２や水圧調整部１３からの漏出水を排水ホースａ３３および排水ホースｂ３４（図４参照）の先端を排水路ａ３１に開口している。
【００１９】
ここで、図７に示す３５は真空破壊弁２５にプランジャ１９の動作を正確に伝達するための可動子、図２に示す３６は温水タンク８の温水をタンク出口ポート３７を介してノズルユニット９に導水する連結ホースである。また、３８は温水の異常温度を検知する保安器、３９は温水の有無を検知するフロートスイッチ、４０は温水ヒータ、４１は温水ヒータの異常温度を検知する温度ヒューズ、４２は温水タンク８内部の温水を排出する水抜栓、図３に示す４３は給水装置７から温水タンク８に洗浄水を供給する給水ホースである。
【００２０】
次に動作、作用について説明すると、通常動作時には、図９および図１０に示すように、コイル２０に通電することでダイヤフラム弁１８を動作させて閉止部１５を開放し、給水路ａ１６を介して接続部１４からの給水を真空破壊弁部１２に供給する。このため、真空破壊弁２５が水圧により押し上げられて、給水路ｂ２３を開放するとともに排出路２４を閉止し、水圧調整部１３、給水ホース４３を介して温水タンク８に給水（給水の流れを、実線矢印で示す）する。なお、真空破壊弁２５が給水路ｂ２３を開放し排出路２４を閉塞する間排出路２４への漏出水（一点鎖線矢印で示す）は、排出路２４から排出ポート２６を介して真空破壊弁部１２外に排出される。
【００２１】
一方、温水タンク８内部の水圧が上昇し、所定の水圧に達した場合、図１１に示すように、水圧によって水圧調整弁３０による吐水ポート２８の閉塞を解除し、吐水ボート２８を介して水圧調整部１３外に排水される（水の流れを実線矢印で示す）。
【００２２】
さらに、故障等により閉止部１５が開放状態となるとともに、真空破壊弁２５の動作不良により、給水路１６と給水路ｂ２３とが連通状態になった状態で、給水管６側すなわち接続部１４が負圧になった場合には、図１２および図１３に示すように負圧になると同時に排出路２４から接続部１４に向かって外気を吸引（外気の流れを波線矢印で示す）し、ノズルユニット９から汚水の吸い上げを阻止する。
【００２３】
一方、吐水ポート２８や排出ポート２６からの漏出水は排出ホースａ３３および排出ホースｂ３４から温水タンク８表面に設けた排水路ａ３１に排出するとともに、これに繋がる裏板１０表面に設けた排水路ｂ３２を介して温水洗浄装置１外に排出する。
【００２４】
また、給水が停止された状態で温水タンク８の水抜栓４２が除去された場合は、給水路ｂ２３が排出路２４を介して外気に開放されるため外気が温水タンク８内に吸引され、開閉部１１の二次側水路内部の圧力低下による排水障害が抑制でき、開閉部１１の二次側水路の水抜きを容易に行うことができる。さらに、通常の給水停止状態では、開閉部１１の二次側水路の水抜きを容易に行うことができる。さらに通常の給水停止状態では、開閉部１１の二次側の排出路２４を介して外部に開放されているが、真空破壊弁部１２が温水タンク８の最上位部より上方に位置しているため、温水タンク８などから温水が漏水することは無い。
【００２５】
（実施例２）
図１４、図１５、図１６は本発明の実施例２の水路構成を示す、それぞれ、平面図、正面図、側面国である。また、図１７は給水装置の正面図、図１８は給水装置の平面図、図１９は図１８のＡ−Ａ断面図、図２０は図１７のＢ−Ｂ断面図である。
【００２６】
本実施例２において実施例１と異なる点は、水圧調整部１３の吐水ポート２８を真空破壊弁部１２の排出路２４に開口し、漏出水を１箇所に集中させたことである。
【００２７】
なお、実施例１と同一符号のものは同一構造を示し、説明は省略する。
【００２８】
次に、給水中に温水タンク８内部の水圧が上昇した場合について動作、作用を説明すると、コイル２０に通電することでダイヤフラム弁１８を動作させて閉止部１５を開放し、給水路ａ１６を介して接続部１４からの給水を真空破壊弁部１２に供給する。このため、真空破壊弁２５が水圧により押し上げられて、給水路ｂ２３を開放するとともに排出路２４を閉止し、水圧調整部１３、給水ホース４３を介して温水タンク８に給水（給水の流れを、実線矢印で示す）する。なお、真空破壊弁２５が給水路ｂ２３を開放し排出路２４を閉塞する間、排出路２４への漏出水は、排出路２４から排出ポート２６を介して真空破壊弁部１２外に排出される。
【００２９】
一方、温水タンク８内部の水圧が上昇し、所定の水圧に達した場合、図２２、図２３に示すように、水圧によって水圧調整弁３０による吐水ポート２８の閉塞を解除し、吐水ポート２８を介して水圧調整部１３外に排水される（排水の流れを一点鎖線矢印で示す）。
そして吐水ポート２８の先端は、排出路２４に開口しているため、排出路ポート２６、排水路ｂ３２を介して温水洗浄装置１外部に排水することができる。
【００３０】
（実施例３）
図２１、図２２、図２３は本発明の実施例３の要部断面を示す。
【００３１】
本実施例３において、実施例１と異なる点は、真空破壊弁部１２の二次側にダックビルを用いた逆流防止弁４４を設けたことである。
【００３２】
なお、実施例１と同一符号のものは同一構造を示し、説明は省略する。
【００３３】
次に動作、作用を説明すると、通常、温水タンク８に洗浄水が給水される場合は図２１に示すように給水路ａ１６および給水路ｂ２３が連通状態となり、水圧調整部１３の入口に設けた逆流防止弁４４が開放され水圧調整部１３を介して温水タンク８に給水（給水の流れは実線矢印で示す）される。また、開閉部１１の閉止部１５が閉止され、給水が停止された場合は、図２２に示すように、ダイヤフラム弁１８および真空破壊弁２５によって給水路ａ１６および給水路ｂ２３が閉塞されるとともに、逆流防止弁４４も閉止状態となり、温水タンク８からの逆流を阻止する。
【００３４】
一方、給水が停止された状態で温水タンク８の水抜栓４２が除去された場合は、図２３に示すように給水路ｂ２３が排出路２４を介して外気に開放されるとともに、逆流防止弁４４が開放され、外気が温水タンク８内に吸引（外気の流れを破線矢印で示す）されるため、温水タンク８内部の圧力低下による排水障害が抑制できる。しかも、給水が停止された場合は、逆流防止弁によって、水路が強制的に閉塞されるため、温水タンク８内部の温水が逆流して、排出路２４から外部に排出されることを防止する。
【００３５】
【発明の効果】
以上説明したように本発明の請求項１に係る温水洗浄装置の給水装置は、外部から給水を供給する給水路を開閉する開閉部と、開閉部の二次側水路を大気に開放する真空破壊弁部と、開閉部の二次側水路に設けた水圧調整部とを一体に構成し、前記開閉部が開放状態で、かつ前記真空破壊弁部の一次側給水路と二次側給水路が連通状態になった状態において、前記開閉部の一次側水路が負圧になった場合には、前記真空破壊弁部を介して前記一次側水路が大気に開放されることを特徴としたものであり、給水部を小型化できるとともに、開閉部の一次側水路が負圧になった場合にノズルユニットからの汚水の吸い上げを阻止することができるという作用を有する。
【００３６】
本発明の請求項２に係る温水洗浄装置の給水装置は、真空破壊弁部を、温水タンクの最上位面より上方に位置させるとともに、開閉部を閉止状態とした際、真空破壊弁部の排出路を介して温水タンク内部が外気開放となる構成としたものであリ、温水タンクなど、開閉部の二次側水路の水抜きを容易に行うことができるという作用を有する。
【００３７】
本発明の請求項３に係る温水洗浄装置の給水装置は、真空破壊弁部の二次側に逆流防止弁を設けるとともに開閉部を閉止状態とした際、真空破壊弁部の排出路を介して温水タンク内部が外気開放となる構成としたものであり、真空破壊弁部の位置に関係なく温水タンクなど、開閉部の二次側水路の水抜きを容易に行うことができる。
【００３８】
本発明の請求項４に係る温水線上装置の給水装置は、水圧調整部の吐水ポートを真空破壊弁部の排出路に開口し、漏出水を１箇所に集中させたものであり、排水路の構成を簡素化することができる。
【００３９】
本発明の請求項５に係る温水洗浄装置の給水装置は、真空破壊弁部と水圧調整部からの漏出水を裏板と温水タンク表面に設けた排出路に排水する構成としたもので、排水路の構成を簡素化することができる。
【００４０】
本発明の請求項６に係る温水洗浄装置の給水装置は、開閉部に電磁弁を使用し、電装部を開閉部の水路を構成するボディの下部に位置させたものであり、水路構成を簡素化することができるとともに、給水装置の小型化が図れる。
【図面の簡単な説明】
【図１】  発明の実施例１による給水装置を用いた温水洗浄装置の外観図
【図２】  同水路構成を示す平面図
【図３】  同水路構成を示す正面図
【図４】  同水路構成を示す側面図
【図５】  同要部正面図
【図６】  同要部平面図
【図７】  同図６のＡ−Ａ断面図
【図８】  同図５のＢ−Ｂ断面図
【図９】  同通常動作を説明する図６のＡ−Ａ断面図
【図１０】  同通常操作を説明する図５のＢ−Ｂ断面図
【図１１】  同水圧調整部の動作を説明する図６のＡ−Ａ断面図
【図１２】  同真空破壊弁部の動作を説明する図６のＡ−Ａ断面図
【図１３】  同真空破壊弁部の動作を説明する図５のＢ−Ｂ断面図
【図１４】  本発明の実施例２による給水装置の水路構成を示す平面図
【図１５】  同水路構成を示す正面図
【図１６】  同水路構成を示す側面図
【図１７】  同要部正面図
【図１８】  同要部平面図
【図１９】  同図１８のＡ−Ａ断面図
【図２０】  同図１７のＢ−Ｂ断面図
【図２１】  本発明の実施例３による通常動作説明する図１８のＡ−Ａ相当部分の断面図
【図２２】  同停止時の動作を説明する図１８のＡ−Ａ相当部分の断面図
【図２３】  同水抜時の動作を説明する図１８のＡ−Ａ相当部分の断面図
【符号の説明】
７  給水装置
８  温水タンク
９  ノズルユニット
１０  裏板
１１  開閉部
１２  真空破壊弁部
１３  水圧調整部
１５  閉止部
１６  給水路ａ
１７  電磁波ボディ
２１  電装部
２２  電磁弁
２３  給水路ｂ
２４  排出路
２５  真空破壊弁
２６  排出ポート
２８  吐水ポート
３０  水圧調整弁
４３  給水ホース
４４  逆流防止弁
【図１】
0004984338.tif 000002
【図２】
0004984338.tif 000003
【図３】
0004984338.tif 000004
【図４】
0004984338.tif 000005
【図５】
0004984338.tif 000006
【図６】
0004984338.tif 000007
【図７】
0004984338.tif 000008
【図８】
0004984338.tif 000009
【図９】
0004984338.tif 000010
【図１０】
0004984338.tif 000011
【図１１】
0004984338.tif 000012
【図１２】
0004984338.tif 000013
【図１３】
0004984338.tif 000014
【図１４】
0004984338.tif 000015
【図１５】
0004984338.tif 000016
【図１６】
0004984338.tif 000017
【図１７】
0004984338.tif 000018
【図１８】
0004984338.tif 000019
【図１９】
0004984338.tif 000020
【図２０】
0004984338.tif 000021
【図２１】
0004984338.tif 000022
【図２２】
0004984338.tif 000023
【図２３】
0004984338.tif 000024